【手続補正書】
【提出日】令和2年6月1日(2020.6.1)
【手続補正１】
【補正対象書類名】特許請求の範囲
【補正対象項目名】全文
【補正方法】変更
【補正の内容】
【特許請求の範囲】
【請求項１】
装置であって：
長手イオン伝播方向に対して第１の閉じ込め方向に内方横方向に、閉じ込め容積の閉じ込め容積部分内で第１の対の対向電極配置間に受け入れられるイオンを閉じ込めるように構成される第１の対の対向電極配置であって、第１の対の各対向電極配置がＲＦ電極配置を含み、該ＲＦ電極配置は、第１の対の対向電極配置のＲＦ電極配置の隣接するＲＦ電極間で交流位相を有するＲＦ電圧を受け、第１の対の対向電極配置間に受け入れられるイオンを閉じ込めるように構成される、第１の対の対向電極配置と；
該第１の対の対向電極配置とは別個であり、第１の閉じ込め方向を補完する第２の閉じ込め方向に内方横方向に、閉じ込め容積内で第２の対の対向電極配置間に受け入れられるイオンを閉じ込めるように構成される第２の対の対向電極配置であって、第２の対の各対向電極配置がＲＦ電極配置を含み、該ＲＦ電極配置は、第２の対の対向電極配置のＲＦ電極配置の隣接するＲＦ電極間で交流位相を有するＲＦ電圧を受けるように構成される、第２の対の対向電極配置と；
第１の対の対向電極配置の隣接するＲＦ電極間に位置し、イオン伝播方向に長手方向列に延びる複数の進行波電極を含む、第１の進行波電極配置であって、該進行波電極は、可変ＤＣ電圧を受け、閉じ込め容積内のイオンの移動を操作するように構成される対応する進行波を生成するように構成される、第１の進行波電極配置と；
を含む、
前記装置。
【請求項２】
第１および第２のイオン閉じ込め方向は、イオン伝播方向に対して相互に直交する、請求項１に記載の装置。
【請求項３】
第１および第２の対の対向電極配置は、逆極性のイオンを閉じ込めるように構成される、請求項１に記載の装置。
【請求項４】
第１および第２の対の対向電極配置は、受け入れられる異なる極性のイオンを、イオン伝播方向に対して横方向に、閉じ込め容積部分内でオーバーラップしないイオン群に分離させるように構成される、請求項１に記載の装置。
【請求項５】
第２の対の対向電極配置の各ＲＦ電極配置のＲＦ電極は、第２の閉じ込め方向に積み重ねられ、該第２の対の対向電極配置のＲＦ電極は、イオン伝播方向に長手方向に延び、第２の閉じ込め方向に受け入れられるイオンの閉じ込めをもたらす、請求項１に記載の装置。
【請求項６】
積み重ねられた各ＲＦ電極は、第２の閉じ込め方向に横方向に延びる１つまたはそれ以上の実質的に平坦な面を含む、請求項５に記載の装置。
【請求項７】
ＲＦ電極は、ワイヤ電極である、請求項５に記載の装置。
【請求項８】
第２の対の対向電極配置の少なくとも２つのＲＦ電極の一部は、異なる量だけ閉じ込め容積部分内へと延び、閉じ込め容積部分の非矩形閉じ込め断面をもたらす、請求項５に装置。
【請求項９】
第２の対の各対向電極配置は、第２の閉じ込め方向に閉じ込め容積内に受け入れられるイオンを閉じ込めるように構成される第２の進行波電極配置を含む、請求項１に記載の装置。
【請求項１０】
各第２の進行波電極配置は、イオン伝播方向に長手方向に延び第２の閉じ込め方向に互いに間隔を置いて配置された複数の進行波電極を含み、該複数の進行波電極は、可変ＤＣ電圧を受け、第２の閉じ込め方向に内方に閉じ込め容積内にイオンを閉じ込めるように対応する進行波を生成するように構成される、請求項９に記載の装置。
【請求項１１】
第２の進行波電極配置は、イオン伝播方向に対して第１の対の対向電極配置の閉じ込め容積部分に横方向に隣接する閉じ込め容積の延長閉じ込め容積部分内に受け入れられるイオンを閉じ込めるように構成される、請求項９に記載の装置。
【請求項１２】
第２の対の対向電極配置のＲＦ電極は、イオン伝播方向に長手方向に延び、第２の閉じ込め方向に互いに間隔を置いて配置される、請求項１０に記載の装置。
【請求項１３】
第２の対の対向電極配置の進行波電極は、第２の対の対向電極配置の隣接するＲＦ電極間に位置する、請求項１２に記載の装置。
【請求項１４】
第１および第２の対の対向電極配置は、閉じ込め容積部分と延長閉じ込め容積部分とを含む無電極ギャップを画成する１対の対向面上に位置する、請求項１２に記載の装置。
【請求項１５】
閉じ込め容積は、第１のイオン導管を画成し、装置は、第１のイオン導管とは別に横方向に間隔を置いて配置された第２のイオン導管をさらに含み、該第２のイオン導管は、複数の電極配置を含み、該第２のイオン導管の電極配置のうちの少なくとも１つは、第１のイオン導管の第１または第２の対の対向電極配置の対向電極配置である、請求項１に記載の装置。
【請求項１６】
隣接するＲＦ電極間の交流位相は、１８０度位相外れである、請求項１に記載の装置。
【請求項１７】
閉じ込め容積は、湾曲状またはテーパ状である、請求項１に記載の装置。
【請求項１８】
方法であって：
イオンを、第１の対の対向電極配置間に画成される閉じ込め容積中に受け入れることであって、第１の対の各対向電極配置が、第１のＲＦ電極配置と、第１のＲＦ電極配置の隣
接するＲＦ電極間に位置する第１の進行波電極配置とを含み、該第１の進行波電極は、長手方向のイオン伝播方向に対して、長手方向列に延びる、前記受け入れることと；
受け入れられるイオンを、第１の進行波電極配置の進行波電極により、可変ＤＣ電圧の受け入れに応答して、長手方向のイオン伝播方向に沿って動かすことと；
第１のＲＦ電極配置のＲＦ電極により、第１のＲＦ電圧の受け入れに応答して、第１のＲＦ場をもたらすことと；
第１のＲＦ場により、第１の対の対向電極配置間に、イオンの長手方向の伝播方向に対して、第１の横方向内方に閉じ込め容積内に受け入れられるイオンを閉じ込めることと；
第２の対の対向電極配置の第２のＲＦ電極配置のＲＦ電極により、第２のＲＦ電圧の受け入れに応答して、第２のＲＦ場をもたらすことと；
第２のＲＦ場により、第１の内方向を補完するイオンの長手方向の伝播方向に対して、第２の横方向内方に閉じ込め容積内にイオンを閉じ込めることと；
を含む、前記方法。
【請求項１９】
各第２のＲＦ電極配置のＲＦ電極は、交流位相を有するＲＦ電圧を受けるように構成される積層体の隣接するＲＦ電極を有する積層体を形成し、該各第２のＲＦ電極配置の各ＲＦ電極は、閉じ込め容積に沿って長手方向に延びる、請求項１８に記載の方法。
【請求項２０】
第１の対の対向電極配置は、閉じ込め容積の中央閉じ込め容積部分の両端に間隔を置いて配置され；
第２の対の対向電極配置は、中央閉じ込め容積部分に隣接する閉じ込め容積の延長閉じ込め領域の両端に間隔を置いて配置され；
第１の対の対向電極配置の第１の電極配置と、第２の対の対向電極配置の第１の電極配置とは、第１の共通表面に関連付けられ；
第１の対の対向電極配置の第２の電極配置と、第２の対の対向電極配置の第２の電極配置とは、第２の共通表面に関連付けられる；
請求項１８に記載の方法。
【請求項２１】
第２の対の対向電極配置は、第２のＲＦ電極配置のＲＦ電極間に交互に配置された第２の進行波電極配置を含み、受け入れられるイオンを第２の横方向内方に閉じ込めることは、第２の進行波電極配置の進行波電極への可変ＤＣ電圧の受け入れに応答して、第２の横方向内方に延長閉じ込め領域に受け入れられるイオンを閉じ込めることを含む、請求項２０に記載の方法。
【請求項２２】
受け入れられ閉じ込められるイオンは、逆極性を有する、請求項１８に記載の方法。